(57)【特許請求の範囲】
【請求項１】
リール(12)と巻取りドラム(11)との間のニップを通してウエブを巻き取って形成されるマシンリール(13)の表層をウエブ(P)の巻取り中に仕上げる方法において、該方法は、
巻き終わった前記リール(12)の面にウエブを押圧する部材(20)を移動させ、
前記巻き終わったリール(12)を交換するために前記ニップを解除して前記巻取りドラム(11)から離すときに、前記巻き終わったリール(12)に前記ウエブを押圧する部材(20)を追従させ、
前記リール(12)が無ニップで巻取りする間に、前記ウエブを押圧する部材(20)を前記リール(12)の面における前記ウエブと接触させてウエブ層間への空気の侵入を防止し、
前記ウエブを押圧する部材(20)を、前記巻き終わったリール(12)の面と所望の程度の接触を保つように移動させ、
前記ウエブを押圧する部材(20)としてブラシ装置(23)を用いることを特徴とする形成中のマシンリールの表層をウエブの巻取り中に仕上げる方法。
【請求項２】
リール(12)と巻取りドラム(11)との間のニップを通してウエブを巻き取って形成されるマシンリール(13)の表層をウエブ(P)の巻取り中に仕上げる方法において、該方法は、
巻き終わった前記リール(12)の面にウエブを押圧する部材(20)を移動させ、
前記巻き終わったリール(12)を交換するために前記ニップを解除して前記巻取りドラム(11)から離すときに、前記巻き終わったリール(12)に前記ウエブを押圧する部材(20)を追従させ、
前記リール(12)が無ニップで巻取りする間に、前記ウエブを押圧する部材(20)を前記リール(12)の面における前記ウエブと接触させてウエブ層間への空気の侵入を防止し、
前記ウエブを押圧する部材(20）を、前記巻き終わったリール(12)の面と所望の程度の接触を保つように移動させ、
前記ロールを押圧する部材(20)としてフラグメンタリ・ロールを用いることを特徴とする形成中のマシンリールの表層をウエブの巻取り中に仕上げる方法。
【請求項３】
リール(12)と巻取りドラム(11)との間のニップを通してウエブを巻き取って形成されるマシンリール(13)の表層をウエブ(P)の巻取り中に仕上げる方法において、該方法は、
巻き終わった前記リール(12)の面にウエブを押圧する部材(20)を移動させ、
前記巻き終わったリール(12)を交換するために前記ニップを解除して前記巻取りドラム(11)から離すときに、前記巻き終わったリール(12)に前記ウエブを押圧する部材(20)を追従させ、
前記リール(12)が無ニップで巻取りする間に、前記ウエブを押圧する部材(20)を前記リール(12)の面における前記ウエブと接触させてウエブ層間への空気の侵入を防止し、
前記ウエブを押圧する部材(20)を、前記巻き終わったリール(12)の面と所望の程度の接触を保つように移動させ、
前記ウエブを押圧する部材(20)として展延バーを用いることを特徴とする形成中のマシンリールの表層をウエブの巻取り中に仕上げる方法。
【請求項４】
リール(12)と巻取りドラム(11)との間のニップを通してウエブを巻き取って形成されるマシンリール(13)の表層をウエブ(P)の巻取り中に仕上げる装置において、
該装置は、巻き終わった前記リール(12)の面に移動するウエブを押圧する部材(20)と、
該部材(20)が前記巻き終わったリール(12)の面と所望の程度で接触を保つように前記部材(20)を移動させるアクチュエータ(24)とを含み、
前記巻き終わったリール(12)は、交換されるときに、前記ニップが解除されて前記巻取りドラム(11)から離され、
前記部材(20)は、前記巻取りドラム(11)から離れる前記巻き終わったリール(12)に前記アクチュエータ(24)によって追従して、前記ウエブと接触してウエブ層間への空気の侵入を防止し、
前記ウエブを押圧する部材(20)はブラシ装置(23)であることを特徴とする形成中のマシンリール(13)の表層をウエブ(P)の巻取り中に仕上げる装置。
【請求項５】
請求の範囲第４項記載の装置において、該装置はガイド部材(25)を有し、これに沿って前記ブラシ装置(23)が移動するように取り付けられていることを特徴とする装置。
【請求項６】
請求の範囲第４項または第５項に記載の装置において、前記ブラシ装置(23)は該ブラシ装置(23)のフレーム部(21)へ回動可能に取り付けられていることを特徴とする装置。
【発明の詳細な説明】
本発明は、形成中のマシンリールの表層をウエブの巻取り中に仕上げる方法に関するものである。
本発明はまた、形成中のマシンリールの表層をウエブの巻取り中に仕上げる装置にも関する。
完成したマシンリールをリールドラムから分離すると、もはやニップ接触はない。そこで、空気がマシンリールへ、完成マシンリールと到来するウエブとの間の間隙を通して侵入しやすく、これによってマシンリールの質が劣化する。空気が層間に侵入するため、層が緩くなる。このような無駄な層の巻き戻しは比較的大きく、約500メートルのウエブを巻き取るのに相当する。完成マシンリールを止めれば、緩んだ層はいずれかの側に動くことができる。
現在、上述の欠点を防止するため、リールの交換に関連してニップなしの巻取りを用いない試みがなされている。現在、ウエブの特性によってウエブの張力を利用することができる。しかし、リールの交換に関連したウエブの破損の危険がかなり大きく、この技法も最適ではない。
本発明は、従来技術にある欠点を回避する方法と装置とを提供することを目的とする。
本発明による方法は、次の点を特徴とする。すなわち、
(a) 完成直前のリールをリール交換位置に送る前に、ウエブを押圧する部材を完成直前のリールの面に運び、
(b) 完成リールをリール交換位置へ移送し、無ニップ巻取り中、ウエブを押圧する部材がウエブと接触し、この接触によってウエブ層間への空気の侵入を防止し、完成リールのリール交換位置への移送中、ウエブを押圧する部材を完成リールに追従させ、
(c) 仕上げすべき表層の巻取り中において、ウエブを押圧する部材を、完成直前のリールの面から離して、このウエブを押圧する部材が完成直前のリールの面との所望の程度で接触を保つような移動路に沿って移動する。
他方、本発明による装置は次の点を特徴とする。すなわち、この装置はウエブを押圧する部材を含み、この部材は、完成直前のリールがリール交換位置へ移送される前に、完成直前のリールの面へ運ばれ、このウエブを押圧する部材はウエブと接触するように構成され、その接触により、完成リールがリール交換位置へ移送される際、ウエブ層間への空気の侵入を防止し、上述のウエブを押圧する部材は、完成リールのリール交換位置への移転中、完成リールに追従するように構成され、ウエブを押圧する部材にはアクチュエータが設けられ、このアクチュエータは、仕上げ表層の巻取り中において、ウエブを押圧する部材を完成直前のリールの面から離して、ウエブを押圧する部材が完成直前のリール面と所望の程度で接触を保つように構成される移動路に沿って移動するように構成されている。
本発明による方式では、巻取りの最終段階において、無ニップ巻取りとウエブを押圧する部材とが用いられる。このウエブを押圧する部材によって、ウエブ層間への空気の侵入を防いでいる。したがって、その結果、マシンリールの面は非常に丹念に仕上げられる。ウエブを押圧する部材として、ブラシ装置を用いることが望ましい。また、フラグメンタリ・ロールや展延バーも、ウエブを押圧する部材の別な、ある好ましい実施例になる。本発明による方式のため、実際にウエブの無駄が生じない。そのため、本発明による方式ではまた、従来技術の方式より明らかに経済的な改善にもなる。
添付図面に示す本発明の好ましい実施例を参照して本発明を詳細に説明するが、本発明はその実施例のみに限定されることはない。
第１図は、本発明による方法と装置の好ましい実施例の側面図である。
第２図は、完成直前のリールをリール交換位置へ移送する前にその完成直前のリールの面へ本発明による装置を移す巻取りの段階の概略側面図である。
第３図は、本発明による装置がウエブの巻取りで形成されたマシンリールの表層仕上げを開始する巻取り段階を示す。
第４図は、完成マシンリールをその交換位置へ移す途中の巻取り段階の概略側面図である。
第１図において、巻取り装置は全体を参照番号10で示す。この実施例では、巻取り装置10は、矢印Ａで示す方向に回転する巻取りドラム11を有し、ウエブＰが第２のロール、すなわちリールスプール12へ巻き取られる。ウエブＰはリールスプール12へ巻取りドラム11によりニップＮを通して巻き取られる。リールドラム12は矢印Ｂで示す方向に回転する。リールスプール12はリールレール14に取り付けられ、リールスプール12にはセンタドライブ16とリールスプール移動装置17とが設けられている。参照番号13は形成中のマシンリールを示し、参照番号15は巻取りキャリッジを示し、これにはリールスプール移動装置17が作動可能に連結されている。さらに、巻取り装置10は初期巻取りの装置18を有している。参照番号12aは空のリールスプールを示し、これは矢印Ｃで示す方向に回転する。このような巻取り装置は従来のものであり、本発明自体のいかなる部分も表わしていない。
本発明の基本実施形によれば、巻取り中のリールスプール12の面へ、すなわちマシンリール13の面へ、完成直前のリール12を交換位置へ移送する前に、ウエブを押圧する部材20を移動させる。第１図に示す実施例では、ウエブを押圧する部材20は、キャリジ21、ビーム22およびブラシ装置23を有している。キャリッジ21はガイド25に沿って移動するように構成されている。ブラシ装置23のアクチュエータは参照番号24で示す。この実施例において、アクチュエータ24はトランスファシリンダであり、これはキャリジ21をガイド25に沿って変位させるように構成されている。
第２図〜第４図から分かるように、巻き終ったリール12は交換位置へ送られて、無ニップ巻取り中は、ブラシ装置23がウエブＰに接触し、この接触によりウエブ層間へ空気が侵入できず、ブラシ装置はその交換位置へ移動する際、巻き上がったリール12に追従する。この実施例では、キャリジ21が巻取りキャリジ15に衝突すると、ブラシ装置23は起き上がることができ、そこでブラシ装置23は形成中のマシンリール13の表層を仕上げることができる。ブラシ装置23はブラシ装置23のフレーム部21へ、すなわちキャリジ21へ回動可能に取り付けられている。もちろん、ブラシ装置23のビーム22をアクチュエータ(図示せず)と組み合わせることができ、このアクチュエータは、仕上げすべき表層の巻取り中において、ブラシ装置23を、完成直前のリール12の面から離して、ブラシ装置23が完成直前のリール12の面と所望の程度で接触を保つような移動路Ｄに沿って変位させるように取り付けられている。
これらの図に示す実施例では、ブラシを押圧する部材20としてブラシ装置23を用いた。ウエブを押圧する部材としては、例えばフラグメンタリ・ロールまたは展延バーを同様に良好に用いることができる。
以上、本発明の好ましい実施例を１つのみ説明したが、上述の実施例に対して添付の請求の範囲に明記する本発明の範囲内で多くの改変ができることは、当業者に明らかである。
【図１】
0003828149.tif 000002
【図２】
0003828149.tif 000003
【図３】
0003828149.tif 000004
【図４】
0003828149.tif 000005